(57)【要約】      （修正有）【課題】引き金を引くと、輪ゴムを発射すると同時にスライド部分がブローバックのような動作をする、連発式輪ゴム銃の構造を提供する。【解決手段】引き金部、スライダー部、スライドロック部、バレル部、スライド及び銃本体からなる。引き金部は、引き金と振り子棒及びリングバーで構成され、引き金後端から下方に突起が伸び、振り子棒上端とスライダー部のスライダー後端をリングバーが繋いでいる。【選択図】図１
0003169624.tif 000002
【実用新案登録請求の範囲】
【請求項１】
引き金と振り子棒及びスライドロックとスライド突起で構成され、振り子棒の下端又は下端部のヒンジを支点に、スライド式の引き金の後端から下方に伸びた突起が振り子棒の前面に接する点を力点に、振り子棒の上端を作用点にして、引き金の前後方向の小さな移動量を、振り子棒の上端の大きな移動量に増幅するとともに、振り子棒が支点を軸に前方に回転移動すると、前端部をバレル基部後端部にヒンジで留められたスライドロックの下面を反時計方向に押し上げて、スライドと一体になったスライド突起を、スライドロックの上面に開いた溝穴に入れる構造。
【請求項２】
バレル受け、シャトル、スライダー及びスライダー止めで構成され、内部にヒンジで留められた半円形のカムを持つスライダーが前方に移動して、カム下端の切り込みが銃本体に固定されたスライダー止めの後端に当たると、カムが半時計方向に回転してカムの後端上部をスライダーの上面から出すとともに、バレル受けが後方に移動してスライダーに当たると、バレル受け後端上部のシャトル受けが、スライダーの上面でカムの後端上部に接していたシャトルの前端を後方に押し離して、カムが自由に回転できる状態にし、さらに、バレル受け後端上部のカム押さえがカムの後端上部を後方に押す、又はバレル受けの後端斜面がカムの前端を斜面に沿って持ち上げる、の両方の方法又はいずれかの方法によって、カムを時計方向に回転させてカムの後端上部をスライダーの中に隠す構造。
【請求項３】
回転子、スライドロック及びスライド突起で構成され、スライドにヒンジで留められて対角線が直角に交わる４つの角を持つ回転子が、半時計方向に３０〜４５度回転すると、前方端をバレル基部後端部にヒンジで留められたスライドロックの上面を時計方向に押し下げて、スライドロックの上面にある溝穴から、スライドと一体になったスライド突起を外す構造。
【請求項４】
スライド、バレル、バレル受け及び銃本体から構成され、スライド内側の側面に固定されたスライドガイドに、バレルの後部に開いたバレルスリットを差し込み、バレル受けをスライドの前方の内側にピン又はネジで留めて、スライドが前後方向に移動できる状態でスライドとバレルを組み合わせ、最後にバレル基部を銃本体にピン又はネジで留めて、スライド及びバレル部分と銃本体部分を簡単に組み合わせることを特徴とする構造。
【考案の詳細な説明】
【技術分野】
【０００１】
本考案は、輪ゴムを発射すると同時にスライド部分が後退及び前進運動をしてブローバックのような動作をする連発式輪ゴム銃の構造に関するものである。
【背景技術】
【０００２】
連発式輪ゴム銃の構造として、種々の形状の回転子とストッパーを組み合わせた方法が広く知られているが、従来の輪ゴム銃は、連発式であってもスライド部分が固定されていたり、スライド部分が動いても、そのタイミングが発射と同時ではなかったり、スライド部分の移動量が引き金の移動量の程度であり、輪ゴムを発射すると同時にスライド部分が引き金の移動量を超える後退及び前進運動をしてブローバックのような動作をする連発式輪ゴム銃はなかった。
【先行技術文献】
【特許文献】
【０００３】
【特許文献１】登録実用新案第３１４６５０６号  ６連回転式輪ゴム銃
【特許文献２】実用新案公開平７−４１２９１  連発式輪ゴム銃
【非特許文献】
【０００４】
【非特許文献１】中村光児著「ゴム銃大図鑑」社会評論社出版  ２０１１年２月
【考案の概要】
【考案が解決しようとする課題】
【０００５】
そこで、本考案は、引き金を引いて輪ゴムを発射すると同時に、スライド部分が引き金の移動量を超えて後退及び前進運動をしてブローバックのような動作をするとともに、引き金を引く度に輪ゴムを発射してこの動作を繰り返すことができる、連発式輪ゴム銃の構造を提供することを課題とする。
【課題を解決するための手段】
【０００６】
以上の課題を解決するために、第一考案は、引き金の小さな移動量をスライドの大きな移動量に増幅するとともに、引き金が戻る時にスライドをロックすることを特徴とする構造である。
【０００７】
第二考案は、引き金が引かれたことを第三考案に伝えるとともに、第一考案で増幅された引き金の移動量をスライドのロックが解除される時まで蓄えておき、ロックが解除されると同時に、それをスライドに伝えてスライドを一挙に後退させるとともに、その後退運動の終点でスライドを前進運動に切り替えることを特徴とする構造である。
【０００８】
第三考案は、第二考案を介して引き金が引かれたことが伝わると輪ゴムを発射し、発射する輪ゴムが回転子を回転させるのを利用してスライドのロックを解除するとともに、スライドが後退運動の終点で第二考案によって前進運動に切り替わると同時に、スライドが後退する時に蓄えた移動量をスライドに伝えて、スライドを一挙に前進させることを特徴とする構造である。
【０００９】
第四考案は、第一から第四までの考案を効果的に組み合わせるとともに、簡単に組み立て及び分解ができることを特徴とする構造である。
以上の全ての考案を内部構造に利用することによって、スライド部分が円滑にブローバックのような動作をする連発式輪ゴム銃が実現する。
【考案の効果】
【００１０】
第一考案によれば、引き金を引く小さな移動量でスライドの大きな移動量を実現するとともに、引き金を戻すことでスライドをロックすることができる。
【００１１】
第二考案によれば、スライドのロックが解除されると同時にスライドを一挙に後退させるとともに、その後退運動の終点で前進運動に切り替える事により、第三考案と組み合わせて、スライドにブローバックのような動作をさせることができる。
【００１２】
第三考案によれば、輪ゴムの発射とスライドの後退運動開始のタイミングを一致させるとともに、スライドが前進運動に切り替わると同時にスライドを一挙に前進させて元の位置に戻すとこにより、第二考案と組み合わせて、スライドにブローバックのような動作をさせることができる。
【００１３】
第四考案によれば、組み立て及び分解が簡単に行えることで、構成品相互の微調整が容易になり、ブローバックする連発式輪ゴム銃として円滑に動作させることができる。
【図面の簡単な説明】
【００１４】
【図１】本考案全体の実施形態を示す説明図である。
【図２】第一考案の実施形態を示す説明図である。
【図３】第二考案の実施形態を示す説明図である。
【図４】図３の細部説明図である。
【図５】第三考案の実施形態を示す説明図である。
【図６】第四考案の実施形態を示す説明図である。
【図７】図６の細部説明図である。
【考案を実施するための形態】
【００１５】
構成品の形状の単純化と部品点数を最小にするとともに、分解及び組み立てが容易な構造の組み合わせによって構成品相互の微調整を容易にできるようしたことにより、木製品でも円滑にブローバックのような動作をする連発式輪ゴム銃の構造を実現した。  
【実施例】
【００１６】
図１は、本考案を内部構造に組み込んだ輪ゴム銃の構成図であり、これによって初めて、スライド部分がブローバックのような動作をする連発式輪ゴム銃の製作が可能になった。
【００１７】
図２は、引き金の移動量を増幅するとともに、輪ゴムが発射される時までスライドをロックして、スライドの後退を禁止する構造である。
【００１８】
図２（A）で、引き金１を引くと、引き金１は前方の銃口方向とは逆の後方に移動し、引き金後方下端の引き金突起ａが振り子棒２の下部を後方に押す。振り子棒２は、銃本体８の振り子棒を受けｂを支点にして、振り子棒２の上端を後方に回転移動させて、図１（Ｂ）の状態になる。これで、引き金１の後方への移動量は、梃子の原理で振り子棒２の上端の移動量へと増幅される。
この振り子棒受けｂの代わりに、図２（Ｂ）のように、振り子棒２の下端部をヒンジｆで銃本体８の銃握部分に留めることで同様の効果を得ることができる。
【００１９】
振り子棒２は、振り子棒２と銃本体８の引き金ガイド下部を繋ぐ輪ゴムｅの伸縮力で常に前方に押されているので、引き金１を引く力を抜くと、引き金１は振り子棒２に押されて、図２（Ａ）の状態に戻る。
この輪ゴムｅの代わりに、図２（Ｂ）のように、振り子棒２を常に前方に押すように、振り子棒２の後面と銃本体との間に圧縮バネを配置することで同様の効果を得ることができる。
【００２０】
振り子棒２が前方に戻る時に、その上端がスライドロック３の下面を押し上げる。スライドロック３は、図５（Ｃ）のように、その前端部がバレル基部貫通穴の後端下部にヒンジｊで留められているので、ヒンジｊを支点に半時計方向に回転して、スライドロック３の上面のロックノッチｄの中にスライド突起４を入れる。スライド突起４は、図７（Ａ）のようにスライド７に固定されてスライド７と一体になっているので、これによって、スライドは前後方向への動きが禁止されてロックした状態になる。
【００２１】
振り子棒２によって増幅された引き金の移動量は、振り子棒上端部のヒンジ穴ｋと、図３（Ａ）のスライダー１２の後端部のヒンジ穴ｖを連結するリンクバー９によって、スライダー１２に伝えられる。
【００２２】
図３は、引き金が引かれたことを図５（Ａ）のストッパー６に伝えるとともに、振り子棒２で増幅された引き金の移動量を輪ゴムが発射される時まで蓄えておいて、輪ゴムの発射と同時にスライド７にそれを伝えてスライド７を一挙に後退させるとともに、その後退運動の終点でスライドを前進運動に切り替える構造である。
【００２３】
図３（Ａ）及び図４（Ａ）は、引き金１が引かれていない状態であり、スライダー１２は、振り子棒２とリンクバー９で連結されているので、常に前方に押されている。スライダー１２が前方に押されると、スライダー１２の内部にあって、スライダー１２にヒンジｙで留められているカム１３の下端の切り込みｘが、銃本体８に固定されているスライダー止め１５の後端に当たり、カム１３がヒンジｙを支点に半時計方向に回転して、カム１３の後端上部ｗをスライダー１２の上面から出す。スライダー１２の上面から出たカムの後端上部ｗは、バレル受け１１の後端上部の切りみ部分ｑ〜ｒに入る。
【００２４】
引き金が引かれると、図３（Ｂ）のように、スライダー１２は、リンク・バー９によって後方に引かれるので、スライダー１２の上面から出たカムの後端上部ｗが、シャトルヘッドｚの前方端をバレル１０の下面に沿って後方に押す。
【００２５】
シャトルヘッドｚは、その前方のゴム穴oとバレル受け１１の後方のゴム穴ｎが、常に張力が掛かる状態で輪ゴムｅで繋がれているので、シャトルヘッドｚが後方に移動すると輪ゴムが伸びて輪ゴムｅの張力が増加する。これによって引き金の移動量が輪ゴムｅの張力の増加として蓄えられる。
【００２６】
バレル受け１１は、図６のようにピン穴ｌでスライド７に留められていて、スライド７と一体になっているので、スライド７のロックが解除されると、図３（Ｃ）のように、スライダー１２は、バレル受け１１と繋がった輪ゴムｅに蓄えられた張力で一挙にバレル受け１１を引き寄せるので、バレル受け１１と一体になっているスライド７が一挙に後方に移動する。これがスライドの後退運動である。
【００２７】
バレル受け１１が、スライダー１２に引き寄せられて後退すると、図３（Ｃ）、図４（Ｃ）のようにバレル受け後端上部のシャトル受けｒが、シャトルヘッドｚに衝突して、カムの後端上部ｗに接していたシャトルヘッドｚの前端を後方に押し難し、カムが自由に回転できる状態にする。次に、バレル受け後端下部の斜面ｐが、カム１３の前端を斜面ｐに沿って持ち上げるとともに、バレル受け１１の後端上部の切り込みにあるカム押さえｑが、スライダー上面から出たカムの後端上部ｗを押さえて、カムを時計方向に回転させる。この二重の方法でカムの後端上部ｗをスライダーの上面から消す。確実性を期すために、この二重の方法を採用しているが、何れか一つの方法だけでも効果を期待できる。
【００２８】
図３（Ｃ）のように、スライダー１２の上面からカムの後端上部ｗが消え、シャトルヘッドｚの後端がバレル基部貫通穴Ｂの前方端に当たってスライドの後退運動が止まると、シャトルヘッドｚの前端とバレル受け後端上部のシャトル受けｒとが接した状態で輪ゴムで繋がるので、バレル受け１１とピン穴ｌで一体となっているスライド７を後方に引き寄せていた力が無くなり、シャトルヘッドｚを押していたカムの後端上部ｗもスライダー上面から無くなっているので、図５（Ｃ）のバレルスリット前方のゴム留めｓとストッパー６のゴム留めｔに繋がれた輪ゴムｅに蓄えられた張力で、スライド７が一挙に前方に引き戻されて図３（Ｄ）の状態になる。
これが、輪ゴム発射時のスライドの後退運動に連続するスライドの前進運動となり、ブローバックのような運動が実現する。
【００２９】
この後、引き金を戻すと、図３（Ｅ）及び図４（Ｂ）のようにスライダー１２が前方に移動し、カム下端の切り込みｘが、スライダー止め１５の後端に当たり、カム１３が反時計方向に回転してカムの後端上部ｗがスライダー１２の上面から出る。スライダー１２の上面から出たカムの後端上部ｗは、バレル受け１１の後方上端の切りみ部分ｑ〜ｒに入って図３（Ａ）の状態になり、引き金を引くと、スライダー上面から出たカムの後端上部ｗがシャトルヘッドｚの前方端を押して、次の発射の準備に入る。
【００３０】
図４（Ｃ）の、バレル受けの後端上部のシャトル受けの長さｃは、スライダー１２が前方に移動して、カム下端の切り込み×がスライダー止め１５の後端に接した位置から、スライダー１２がさらに前方に移動して、カム下端の切り込み×がスライダー止め１５に押されて、カム１３が反時計方向に回転し、カムの後端上部ｗの前方辺がバレル受け１３の後端上部の切りみ部分ｑ〜ｒの斜面に接するまでの間に、スライダー１２が前方に移動した距離ｃか、それ以上の長さにする。
【００３１】
図４は、図３の細部であり、バレル受け１１、スライダー１２及びカム１３、シャトル１４、スライダー止め１５の構成の詳細を示している。
【００３２】
図５は、引き金が引かれたことが伝わると輪ゴムを発射し、発射する輪ゴムが回転子を回転させるのを利用してスライドのロックを解除するとともに、スライドが後退運動から前進運動に切り替わると同時に、スライドが後退する時に蓄えた移動量をスライドに伝えて、スライドを一挙に前進させる構造である。
【００３３】
引き金１が引かれると、図３（Ｂ）のように、リンクバー９で連結されたスライダー１２が後方に移動し、スライダー１２にヒンジｙで留められたカムの後端上部ｗがシャトルヘッドｚを押して、後部がバレル基部貫通穴１８に入ったシャトル１４が後方に移動する。
【００３４】
シャトル１４が後方に移動して、図５（Ｂ）のように、スライド７にヒンジｈで留められたストッパー６の前方下端を押し、ストッパー６を反時計方向に回転させて、スライド７にヒンジでｉで留められて対角線が直角に交わる４つの角を持つ回転子５を解放する。解放された回転子５は、回転子の４箇所の切り込みと、図７（Ａ）のフック１９の間に懸けた発射用の輪ゴムの張力で半時計方向に回転する。回転子５が３０度〜４５度回転すると回転子後方の切り込みに架かっていた輪ゴムが解放されて発射されるとともに、回転子の角が、前端部をバレル基部の後端下部にヒンジｊで止められたスライドロック３の上面を時計方向に押し下げる。スライドロック３が下がると、スライド突起４からロックノッチｄが外れて、スライドのロックが解除され、図５（Ｃ）のように、スライド７が一挙に後方に移動する。これがスライド部分の後退運動である。
【００３５】
スライド７が後方に移動すると、ストッパー６は、その前方下端のゴム留めｔとバレルスリット前方のゴム留めｓが輪ゴムｅで繋がれているので、輪ゴムｅが伸びて輪ゴムの張力が増加する。これによって、スライドの後退運動の移動量が輪ゴムｅｚの張力の増加として蓄えられる。
【００３６】
図６は、各構造を効果的に組み合わせて、スライド部分が円滑にブローバックのような動作をする連発式輪ゴム銃を、簡単に組み立て及び分解することができるようにする構造である。
【００３７】
バレルスリット前方のゴム留めｓとストッパー前方のゴム留めｔを輪ゴムで繋ぎ、スライドロック３をバレル基部後端下部にヒンジｊで留めるたバレル１０を、バレルスリット１７の開いた方から、バレル内側の側面に固定されたスライドガイド１６に差し込み、バレル受け１１をスライド前方内側にピン穴ｌで留めて、スライドが前後方向に移動できる状態でスライド１１とバレル１０を組み合わせる。
【００３８】
次に、バレル１０と輪ゴムで繋がったストッパー６と回転子５をスライド後方内側に、ヒンジｈ及びｉで留める。バレル受け１１とシャトルヘッドｚを輪ゴムで繋いで、シャトル１４の後部をバレル基部貫通穴１８に入れる。
【００３９】
銃本体８の中に、リンクバー９を連結した振り子棒２、スライド式引き金１の順で入れた後に、リンクバー９にスライダー１２を連結して入れる。最後にバレル基部を銃本体にピン穴ｍで留めて、スライド及びバレル部分と銃本体部分を組み合わせて、ブローバックする連発式輪ゴム銃を組み立てる。
【００４０】
バレル受け１１とスライド１６を組み合わせるピン穴ｌ及びバレル基部と銃本体を組み合わせるピン穴ｍは、ピンの代わりにネジで留めても同様の効果を得ることができる。
【００４１】
図７は、図６の細部であり、（Ａ）はスライドガイド１６、スライド突起４のスライド７への取り付けの詳細を、（Ｂ）、（Ｃ）はバレル受け１１とシャトル１４、スライド７とバレルスリット１７、スライドロック３とバレル基部の組み合わせの詳細を、（Ｄ）はスライダー、リンクバー９、振り子棒２の組み合わせの詳細を、（Ｅ）はスライダー止め１５の銃本体８への取り付けの詳細を示している。
【産業上の利用可能性】
【００４２】
本考案は、ブローバックする連発式輪ゴム銃を木製で製作する目的を、構成品の形状を単純化して部品点数を最小にするとともに、簡単に組み立て及び分解ができる構造にすることによって実現したものであり、木製以外の合成樹脂や金属等の材質で製作する場合にはそのまま適用できるし、簡易にブローバックのような動作をするモデルガンの内部構造としても応用できる。
【符号の説明】
【００４３】
１  引き金
２  振り子棒
３  スライドロック
４  スライド突起
５  回転子
６  ストッパー
７  スライド
８  銃本体
９  リンクバー
１０  バレル（バレル基部を含む）
１１  バレル受け
１２  スライダー
１３  カム
１４  シャトル
１５  スライダー止め
１６  スライドガイド
１７  バレルスリット
１８  バレル基部貫通穴
１９  フック
２０  引き金ガイド
【００４４】
ａ  引き金突起
ｂ  振り子棒受け
ｃ  シャトル受けｒの長さ
ｄ  ロックノッチ
ｅ  輪ゴム
ｆ  振り子棒を銃握部分に留めるヒンジ穴
ｇ  バネ
ｈ  ストッパーをスライド部分に留めるヒンジ穴
ｉ  回転子をスライド部分に留めるヒンジ穴
ｊ  スライドロックをバレル基部に留めるヒンジ穴
ｋ  リンクバーを振り子棒に連結するヒンジ穴
ｌ  バレル受けをスライドに留めるピン穴
ｍ  バレル基部を銃本体に留めるピン穴
ｎ  バレル受けのゴム穴
ｏ  シャトルのゴム穴
ｐ  バレル受けの後端斜面
ｑ  バレル受け後端上部のカム押さえ
ｒ  バレル受け後端上部のシャトル受け
ｓ  バレルスリット前方のゴム留め
ｔ  ストッパーのゴム留め
ｕ  スライダー止めが通るバレル受けの溝
ｖ  リンクバーをスライダーに連結するヒンジ穴
ｗ  カムの後端上部
ｘ  カム下端の切り込み
ｙ  カムをスライダー内部に留めるヒンジ穴
ｚ  シャトルヘッド
【図１】
0003169624.tif 000003
【図２】
0003169624.tif 000004
【図３】
0003169624.tif 000005
【図４】
0003169624.tif 000006
【図５】
0003169624.tif 000007
【図６】
0003169624.tif 000008
【図７】
0003169624.tif 000009
【手続補正書】
【提出日】平成23年6月8日(2011.6.8)
【手続補正１】
【補正対象書類名】実用新案登録請求の範囲
【補正対象項目名】全文
【補正方法】変更
【補正の内容】
【実用新案登録請求の範囲】
【請求項１】
引き金部、スライダー部、スライドロック部、バレル部、スライド及び銃本体からなる連発式輪ゴム銃であって、引き金部は、引き金と振り子棒及びリンクバーで構成され、スライド式引き金を引くと、引き金後端から下方に伸びた突起が振り子棒の前面に接する点が力点に、振り子棒の下端が支点に、振り子棒の上端が作用点になって、引き金の後方への小さな移動が振り子棒上端の後方への大きな移動に増幅され、振り子棒上端とスライダー部のスライダー後端を繋ぐリンクバーを介してスライダーがシャトルを後方に押し、そのシャトルがストッパーの前面下部を押して、ストッパーが反時計方向に回転して回転子の制止を解除すると、スライド前端のフックと回転子の間に懸けた輪ゴムの張力で回転子が反時計方向に回転して、その輪ゴムを発射すると同時に、回転する回転子でスライドロック部のスライド突起のロックを解除して、スライド突起と一体のスライドが一挙に後退及び前進をしてブローバックのような動作をし、スライドがこの一連の動作で元の位置に戻り、後方に引いた引き金の力を緩めると、銃本体の銃握前方と振り子棒下部を繋ぐ輪ゴムの張力で、振り子棒が、振り子棒の下端を支点に前方に回転移動をして、振り子棒の前面が引き金を前方に押し戻すとともに、振り子棒の上端がスライドロック部のスライドロックの下面を押し上げて、スライドロックの上面に開いた溝穴にスライドと一体のスライド突起を入れることを特徴とする連発式輪ゴム銃。
【請求項２】
請求項１記載の連発式輪ゴム銃において、スライダー部は、バレル受け、シャトル、スライダー及びスライダー止めで構成され、スライダーの内部にヒンジで留めたカムを有するスライダーが、スライダーに繋いだリンクバーに押されて銃本体内を前方に移動し、カムの前方下端が、銃本体に固定されたスライダー止めの後端に当たると、カムがスライダー内で反時計方向に回転してカムの後端上部がスライダーの上面から出る。また、スライド突起のロックが解除されてスライドが後退し、スライドの前方下端に留められてスライドと一体になったバレル受けが後方に移動してスライダーに当たると、バレル受け後端上部のシャトル受けが、スライダーの上面でカムの後端上部に接していたシャトルを、カムの後端上部から後方に押し離してカムが自由に回転できる状態にし、さらに、バレル受け後端上部のカム押さえがカムの後端上部を押し下げる、同時に、バレル受けの後端斜面が、カムの前端をバレル受けの後端斜面に沿って持ち上げる、の両方又はいずれかの方法によって、カムがスライダー内で時計方向に回転してカムの後端上部をスライダーの上面から隠すことを特徴とする請求項１記載の連発式輪ゴム銃。
【請求項３】
請求項１記載の連発式輪ゴム銃において、スライドロック部は、回転子、スライドロック及びスライド突起で構成され、スライドの後端部にヒンジで留められて、対角線が直角に交わる４つの角を持つ回転子が半時計方向に３０〜４５度回転すると、回転子の角が、スライドロックの前方端がバレル基部後端部にヒンジで留められたスライドロックの上面を押し下げ、スライドロックが時計方向に回転して、スライドロックの上面にある溝穴から、スライドと一体のスライド突起を外すことを特徴とする請求項１記載の連発式輪ゴム銃。
【請求項４】
請求項１記載の連発式輪ゴム銃において、バレル部は、バレル、バレル受け、スライドガイドで構成され、バレルの後端部に開いたバレルスリットをスライド内側の側面に固定されたスライドガイドに沿って差し込み、バレルをスライドの中に収めて、バレル受けをスライド前方下端の内側にピン又はネジで留めて、バレルがスライドの中で前後方向に移動できる状態でスライドとバレルを組み合わせて、次に、スライドとバレルを組み合わせたバレルの基部を銃本体にピン又はネジで留めて、バレルとスライドと銃本体とを組み合わせることを特徴とする請求項１記載の連発式輪ゴム銃。